(57)【要約】【課題】電柱にクロージャを容易に配設するクロージャ取付金物およびクロージャ取付装置を提供する。【解決手段】クロージャ取付装置１０は、一方のアームロッド２２の先端部と他方のアームロッド２２の先端部を接続したクロージャ支持部２４と、一方のアームロッド２２の基端部と他方のアームロッド２２の基端部とに固着して、これらのアームロッド２２で形成された開口を塞ぐ電柱取付部２６と、電柱に配設した装柱バンド３０と、この装柱バンド３０から外方に向けて突出し、前記電柱取付部２６の側面を挟み込んで保持した１対の結合部３８とを備えた構成である。【選択図】図１
2007312482.tif 000002
【特許請求の範囲】
【請求項１】
正面視して略Ｕ字形状のクロージャ支持部と、
前記クロージャ支持部の基端部を鉛直方向に配置しつつ、前記クロージャ支持部の基端部に固着した角型の電柱取付部と、
を備えたことを特徴とするクロージャ取付金物。
【請求項２】
アームロッドの一部を曲げ形状としたクロージャ支持部と、
このクロージャ支持部の基端部に固着して、前記アームロッドで形成された開口を塞ぐ電柱取付部と、
電柱に配設される装柱バンドと、
この装柱バンドから外方に向けて突出し、前記電柱取付部の側面を挟み込んで保持した１対の結合部と、
を備えたことを特徴とするクロージャ取付装置。
【発明の詳細な説明】
【技術分野】
【０００１】
本発明は、通信ケーブルのクロージャを電柱に取り付けるためのクロージャ取付金物およびクロージャ取付装置に関する。
【背景技術】
【０００２】
電柱には、電話回線やケーブルテレビ、有線放送等の様々な種類の既設ケーブルおよびクロージャ等が配設されている。そして電柱によっては、１つの電柱に対して複数の会社がケーブルを配設し、また１つの会社が複数のケーブルを配設している場合もある。例えば、１本の電柱に７種類程度の既設ケーブル等を架設している場合もある。このような場合には、有線電気通信設備令第９条等や電柱の所有者との契約に基づいて、一方のケーブルから一定の距離を離して他方のケーブルを設置する必要があるため、ケーブルを設置する高さを変えて電柱に設置するようにしている。
なお特許文献１は、クロージャの設置装置について開示している。
【特許文献１】特開２００４−２７４９６９号公報
【発明の開示】
【発明が解決しようとする課題】
【０００３】
通信ケーブルの接続点に設けられるクロージャは、電柱間に架け渡されている吊線に吊下げられるようにして配設されている。そして、前述したように電柱に複数のケーブル等が既に配設されている場合は、クロージャを配設するために、新たに吊線を設けるスペースが無い。この場合には、既設の吊線にセパレータやクランクロッドを設けて、これにクロージャを配設していた。すなわち既にケーブルを支持している吊線にセパレータ等を設けて、既設の吊線の下方または側方に新たな吊線を部分的に設けたような形態とし、この新たな吊線（セパレータ等）にクロージャを配設していた。しかしながら、セパレータ等を使用する場合、前述した１本電柱に複数の既設ケーブルが架設されているので、この既設ケーブルの輻輳によってクロージャを取り付けし難く、多くの労力と作業時間を要していた。
【０００４】
本発明は、電柱にクロージャを容易に配設するクロージャ取付金物およびクロージャ取付装置を提供することを目的とする。
【課題を解決するための手段】
【０００５】
本発明に係るクロージャ取付金物は、正面視して略Ｕ字形状のクロージャ支持部と、クロージャ支持部の基端部を鉛直方向に配置しつつ、クロージャ支持部の基端部に固着した角型の電柱取付部とを備えたことを特徴としている。
【０００６】
また本発明に係るクロージャ取付装置は、アームロッドの一部を曲げ形状としたクロージャ支持部と、このクロージャ支持部の基端部に固着して、アームロッドで形成された開口を塞ぐ電柱取付部と、電柱に配設される装柱バンドと、この装柱バンドから外方に向けて突出し、電柱取付部の側面を挟み込んで保持した１対の結合部とを備えたことを特徴としている。
【発明の効果】
【０００７】
クロージャ取付金物およびクロージャ取付装置によれば、クロージャ支持部にクロージャを直接取り付けることができる。これにより吊線が不要になり、セパレータやクランクロッドによる施工が不要になる。
【０００８】
クロージャ取付金物を電柱に配設するには、装柱バンドを電柱に設けて、この装柱バンドとクロージャ取付金物を結合するだけなので、クロージャを容易に電柱に配設することができる。そしてクロージャ取付装置は、装柱バンドを電柱に配設できる隙間があれば、クロージャ取付金物を電柱に設けることができる。このため複数の既設ケーブルが設けられていて隙間が僅かしか残っていない電柱であっても、その隙間に装柱バンドを配設して、この装柱バンドにクロージャ取付金物を容易に取り付けることができる。そしてクロージャ支持部の基端部は鉛直方向に配置されるので、クロージャをクロージャ支持部に配設しても下方に撓むことを防止できる。したがって、クロージャを確実に電柱に配設できる。
【発明を実施するための最良の形態】
【０００９】
以下に、本発明に係るクロージャ取付金物およびクロージャ取付装置の最良の実施形態について説明する。図１はクロージャ取付装置の斜視図である。クロージャ取付装置１０は、クロージャ取付金物２０と装柱バンド３０とを備えている。
【００１０】
図２はクロージャ取付金物の正面図である。クロージャ取付金物２０は、アームロッド２２の一部を曲げ形状とした、正面視して略Ｕ字形状のクロージャ支持部２４を有している。すなわちクロージャ支持部２４は、図２において上方に位置する一方のアームロッド２２ａと、下方に位置する他方のアームロッド２２ｂを有しており、これらのアームロッド２２ａ，２２ｂの先端部が接続している。そして、この略Ｕ字形状をしたクロージャ支持部２４の基端側、すなわち一方のアームロッド２２ａと他方のアームロッド２２ｂの基端部は開口している。この開口した部分に電柱取付部２６を配設して、前記開口を塞いでいる。なお、電柱取付部２６は、アームロッド２２（クロージャ支持部２４）の基端部を鉛直方向（図２に示す場合では上下方向）に配置しつつ、このアームロッド２２の基端部に固着している。
【００１１】
そしてこの電柱取付部２６は、具体的には、平面視して四角形をした管であり、これの上面と下面に開口部を配置している。そして電柱取付部２６の右面２６ａ（図１参照）をアームロッド２２が貫通し、電柱取付部２６の左面にアームロッド２２の基端部が接合している。なお電柱取付部２６の右面２６ａとアームロッド２２を溶接するとともに、電柱取付部２６の前記左面とアームロッド２２の基端部を溶接することにより、電柱取付部２６とアームロッド２２が分離することなく固着している。このような電柱取付部２６には、これの正面２６ｂと背面２６ｃ（図１参照）に、これらを貫通する孔（貫通孔２８）を設けている。なお以下では、電柱取付部２６の正面２６ｂや背面２６ｃを電柱取付部２６の側面という。
【００１２】
図３は装柱バンドの斜視図である。装柱バンド３０は、図１に示すように電柱１４に配設されて、クロージャ取付金物２０が装着されるものである。具体的には、この装柱バンド３０は、図３に示すように円周の１／４周分の円弧部３２を組み合わせて形成してある。この円弧部３２の基端側には、円弧に沿って複数の調整孔３４を設けている。また円弧部３２の先端は円周の外側に向けて折り曲げられ、この折り曲げられた部分に結合孔３６を設けている。なお、この折り曲げられた部分は結合部３８となっている。
【００１３】
そして一の円弧部３２の基端側と他の円弧部３２の基端側を重ね合わせて、この重なっている部分の調整孔３４に円弧の内側からネジ４０を挿入し、外側においてナット４２で止めている。これにより円周の１／２周分の円弧部３２となる。そして、この円周の１／２周分の円弧部３２を２つ対面させて配置し、各円弧部３２の先端（結合部３８）に設けた結合孔３６にネジ４４を挿入してナット４６で締めれば、ネジ４４を介して対面している結合部３８同士が接続し、略円形の装柱バンド３０となる。
【００１４】
次に、クロージャ取付金物２０およびクロージャ取付装置１０の使用方法について説明する。まず装柱バンド３０を電柱１４に配設する。具体的には、まず電柱１４の直径に応じて１／４周分の円弧部３２の基端側を重ね合わせ、ネジ４０とナット４２で２つの円弧部３２を結合する。そして１対の１／２周分の円弧部３２を対面配置し、これの一方の結合部３８同士をネジ４４とナット４６で接続し、この装柱バンド３０を電柱１４に嵌める。
【００１５】
この後、装柱バンド３０における他方の結合部３８、すなわち結合部３８同士が接続していない箇所にクロージャ取付金物２０を取り付ける。具体的には、クロージャ取付金物２０の電柱取付部２６を一対の結合部３８の間に配置し、この結合部３８に設けた結合孔３６と電柱取付部２６に設けた貫通孔２８とを重ねる。そして、この結合孔３６と貫通孔２８にネジ４４を挿入し、このネジ４４にナット４６を配設して、これらを結合する。これにより電柱取付部２６の側面が１対の結合部３８に挟み込まれて、クロージャ取付金物２０が装柱バンド３０に保持されるとともに、電柱１４に取り付けられる。なお、このときクロージャ取付金物２０の一方のアームロッド２２ａと他方のアームロッド２２ｂは上下に配置される。
【００１６】
そしてこの一方のアームロッド２２ａと他方のアームロッド２２ｂの少なくともいずれかにクロージャ５０を配設する。具体的には、図１に示すように、クロージャ５０の背面にクランプ金具５２と固定ボルト５４が設けてあるので、このクランプ金具５２でアームロッド２２を把持した後、固定ボルト５４を締め付けてクランプ金具５２を固定すればよい。
【００１７】
このクロージャ取付金物２０によれば、一方のアームロッド２２ａおよび他方のアームロッド２２ｂの少なくともいずれかにクロージャ５０を直接取り付けできる。これにより吊線が不要になり、セパレータやクランクロッドによる施工が不要になる。またクロージャ取付金物２０は、クロージャ支持部２４をアームロッド２２で形成しているので、風によって受ける荷重を軽減できる。
【００１８】
またクロージャ取付装置１０によれば、装柱バンド３０を電柱１４に設けて、この装柱バンド３０とクロージャ取付金物２０をネジ４４等で結合させれば電柱１４に配設できる。よってクロージャ取付金物２０を電柱１４に容易に取り付けできる。そしてクロージャ取付装置１０は、装柱バンド３０を電柱１４に配設できる隙間があれば、クロージャ取付金物２０を電柱１４に設けることができる。このため複数の既設ケーブルが設けられていて隙間が僅かしか残っていない電柱１４であっても、その隙間に装柱バンド３０を配設してクロージャ取付金物２０を取り付けることができ、このクロージャ取付金物２０にクロージャ５０を配設できる。すなわちクロージャ５０を電柱１４に容易に配設できる。
【００１９】
またクロージャ取付金物２０を電柱１４に配設したときは、一方のアームロッド２２ａと他方のアームロッド２２ｂが上下に配置されるので、クロージャ５０をクロージャ支持部２４に取り付けても下方に向けて撓むことがない。したがってクロージャ取付装置１０は、クロージャ５０を電柱１４に確実に取り付けできる。
【００２０】
また装柱バンド３０は、各円弧部３２の基端側に複数の調整孔３４を設けているので、電柱１４の直径に合わせて装柱バンド３０の径を変えることができる。よってクロージャ取付装置１０は、電柱１４の直径にかかわらずクロージャ取付金物２０を電柱１４に取り付けできる。すなわち電柱１４の直径にかかわらず、クロージャ５０を電柱１４に配設できる。
【図面の簡単な説明】
【００２１】
【図１】クロージャ取付装置の斜視図である。
【図２】クロージャ取付金物の正面図である。
【図３】装柱バンドの斜視図である。
【符号の説明】
【００２２】
１０………クロージャ取付装置、１４………電柱、２０………クロージャ取付金物、２２………アームロッド、２４………クロージャ支持部、２６………電柱取付部、２８………貫通孔、３０………装柱バンド、３８………結合部、５０………クロージャ。
【図１】
2007312482.tif 000003
【図２】
2007312482.tif 000004
【図３】
2007312482.tif 000005